(57)【要約】【課題】モノラルの入力信号に対し、あらかじめ測定した伝達特性を作用させることでステレオの出力信号を作成し、モノラルの出力信号にない音響効果を実現する。【解決手段】玄関子機には、来訪者の映像を撮像するためのカメラを備え、居室親機には、カメラにて撮像される映像の来訪者の位置に対応する少なくとも２以上の撮像エリア毎に存在する音声の伝達特性を保存するためのＲＯＭと、ＲＯＭから読み出される伝達特性をもとにデジタル音声信号に畳み込み演算処理を行い、演算処理を行った信号を居室親機のステレオコーデックへ出力するための音声処理部と、親機Ｌチャンネル用スピーカ及び親機Ｒチャンネル用スピーカのうち選択された何れか１つのスピーカに対応させて音声処理部を制御し、モノラル音声信号を出力する何れか１つのスピーカを選択するためのＣＰＵを備えている。【選択図】図１
2009060321.tif 000002
【特許請求の範囲】
【請求項１】
来訪者により居室呼び出しを行うための呼出部（１０３）及び音声を送受信して通話を成立させるための子機マイク（１０２）及び子機スピーカ（１０１）を有する玄関子機（１）と、前記玄関子機からの居室呼び出しに応答し、前記音声を送受信して前記来訪者との間で通話を成立させるための親機マイク（２０３）、親機Ｌチャンネル用スピーカ（２０１）及び親機Ｒチャンネル用スピーカ（２０２）を有する居室親機（２）とを接続し、前記玄関子機のモノラルコーデック（１０５）及び前記居室親機のステレオコーデック（２０４）によりアナログ音声信号をデジタルデータに変換したデジタル音声信号として伝送を行うにあたり、
前記玄関子機には、前記来訪者の映像を撮像するためのカメラ（１０７）を備え、
前記居室親機には、前記カメラにて撮像される映像の前記来訪者の位置に対応する少なくとも２以上の撮像エリア（Ｚ１、Ｚ２、Ｚ３、・・・）毎に存在する前記音声の伝達特性を保存するためのＲＯＭ（２１６）と、
前記ＲＯＭから読み出される前記伝達特性をもとに前記デジタル音声信号に畳み込み演算処理を行い、前記演算処理を行った信号を前記居室親機のステレオコーデックへ出力するための音声処理部（２０６）と、
前記親機Ｌチャンネル用スピーカ及び前記親機Ｒチャンネル用スピーカのうち選択された何れか１つのスピーカに対応させて前記音声処理部を制御し、前記モノラル音声信号を出力する前記何れか１つのスピーカを選択するためのＣＰＵ（２１３）を備えたことを特徴とするインターホンシステム。
【請求項２】
前記居室親機には、前記玄関子機の前記カメラにて撮像される前記少なくとも２以上の撮像エリアのうち、前記来訪者が存在する撮像エリアを検出するとともに、当該撮像エリアを来訪者が存在する音像位置として前記音声処理部に通知するための画像処理部（２０９）を備えたことを特徴とする請求項１記載のインターホンシステム。
【発明の詳細な説明】
【技術分野】
【０００１】
本発明は、インターホンシステムに係わり、特にモノラル入力した通話音声や呼出音をステレオスピーカに出力するモノラル入力／ステレオ出力変換機能付きインターホンシステムに関する。
【背景技術】
【０００２】
従来のインターホンシステムでは、一般的に玄関子機からの音声等の入力及び居室親機での出力はモノラル入力／モノラル出力で行われていた。しかし、モノラル入力／モノラル出力では音像定位（音の発生位置を再現する音響効果）や音の臨場感が欠落しているという問題があった。
【０００３】
そこで、このような問題に対して、玄関子機の音声等の入力側にマイクを２つ設置してステレオ入力し、ステレオ出力する方法も考えられている（例えば、特許文献１参照）。
【０００４】
特許文献１に記載の発明は、来訪者が発した音声を玄関子機に設置した２つのマイクにより集音し、この音声信号を居室親機にて各マイクに対応して設置された２つのスピーカにより出力し、各スピーカから出力される音声の大きさにより来訪者の位置する方向を検出して玄関子機の撮像手段の視野を速く来訪者の方向に移動させるものである。
【０００５】
【特許文献１】特開平５−２３６４７６号公報
【発明の開示】
【発明が解決しようとする課題】
【０００６】
上記したように、従来のような玄関子機へステレオ入力し、居室親機にてステレオ出力する方法では、玄関子機内に２つ若しくはそれ以上のマイクを設置しなければならず、玄関子機の実装面積が大きくなってしまうという問題があった。この結果、インターホンシステムのコストが高くなるという問題もあり、さらには、ステレオ入力／ステレオ出力を行うことによって伝送帯域をより多く確保しなければならないなどの問題も存在した。
【０００７】
本発明は、このような課題を解決するためになされたもので、玄関子機における１つのマイクによるモノラルの入力信号に対し、あらかじめ測定した伝達特性を作用させることで居室親機にてステレオの出力信号を作成することにより、モノラルの出力信号にない音像定位、臨場感、音質向上等の音響効果を実現可能とするインターホンシステムを提供することを目的とする。
【課題を解決するための手段】
【０００８】
上記課題を解決するために本発明によるインターホンシステムの第１の態様は、来訪者により居室呼び出しを行うための呼出部及び音声を送受信して通話を成立させるための子機マイク及び子機スピーカを有する玄関子機と、玄関子機からの居室呼び出しに応答し、音声を送受信して来訪者との間で通話を成立させるための親機マイク、親機Ｌチャンネル用スピーカ及び親機Ｒチャンネル用スピーカを有する居室親機とを接続し、玄関子機のモノラルコーデック及び居室親機のステレオコーデックによりアナログ音声信号をデジタルデータに変換したデジタル音声信号として伝送を行うにあたり、玄関子機には、来訪者の映像を撮像するためのカメラを備え、居室親機には、カメラにて撮像される映像の来訪者の位置に対応する少なくとも２以上の撮像エリア毎に存在する音声の伝達特性を保存するためのＲＯＭと、ＲＯＭから読み出される伝達特性をもとにデジタル音声信号に畳み込み演算処理を行い、演算処理を行った信号を居室親機のステレオコーデックへ出力するための音声処理部と、親機Ｌチャンネル用スピーカ及び親機Ｒチャンネル用スピーカのうち選択された何れか１つのスピーカに対応させて音声処理部を制御し、モノラル音声信号を出力する何れか１つのスピーカを選択するためのＣＰＵを備えたことを特徴とする。
【０００９】
また、本発明によるインターホンシステムの第２の態様は、第１の態様において、居室親機には、玄関子機のカメラにて撮像される少なくとも２以上の撮像エリアのうち、来訪者が存在する撮像エリアを検出するとともに、撮像エリアを来訪者が存在する音像位置として音声処理部に通知するための画像処理部を備えたことを特徴とする。
【発明の効果】
【００１０】
本発明によるインターホンシステムによれば、画像処理部で検出した音像位置に適応した伝達特性を音声処理部に入力されたモノラル信号に畳み込み演算することで、モノラル信号からステレオ信号を作成し出力信号に音像定位、臨場感、音質向上等の音響効果を付加することが可能となる。
【発明を実施するための最良の形態】
【００１１】
以下、本発明の好ましい実施の形態について図面を参照して詳述する。
【００１２】
図１は本発明のインターホンシステムのブロック図の一例である。
【００１３】
図１において、本発明のインターホンシステムは戸外に設置される玄関子機１と室内に設置される居室親機２とから構成されており、玄関子機１は居室親機２との間でデジタル信号の送受信をおこなう子機通信処理部１０６を備えている。
【００１４】
この子機通信処理部１０６には来客を居室親機２に知らせる呼出ボタン１０３、子機スピーカ１０１にアナログ信号を送信し、子機マイク１０２からのアナログ信号をデジタル信号に変換するモノラルコーデック（ＣＯＤＥＣ）１０５が接続されている。
【００１５】
また、玄関子機１には来訪者を撮像するカメラ１０７が備えられており、カメラ１０７は来訪者を撮像した映像信号を処理するカメラモジュール１０４を介して子機通信処理部１０６に接続されている。
【００１６】
一方、居室親機２は、玄関子機１とデジタル信号の送受信を行なう親機通信処理部２０８を備えており、この親機通信処理部２０８には音響系のハウリングを制御するボイススイッチ２０７が接続され、ステレオコーデック２０４を介して親機Ｌ（左）チャンネル用スピーカ２０１、親機Ｒ（右）チャンネル用スピーカ２０２、親機マイク２０３が接続されている。
【００１７】
親機通信処理部２０８にはこの他、音像位置を検出するための画像処理部２０９とモノラル信号からステレオ信号を作り出す音声処理部２０６が接続される。
【００１８】
親機通信処理部２０８、音声処理部２０６、画像処理部２０９、ボイススイッチ２０７には、さらにバスを介して玄関子機１や居室親機２との間のデータの入出力や親機内の各構成機器の動作を制御するためのＣＰＵ２１３、デジタル音声信号を記録する音声処理用ＲＡＭ２１５、居室呼び出しの報知のために必要な呼出音、音声メッセージ等の音声データ、あらかじめ測定した伝達特性データ等を保存するＲＯＭ２１６が接続されている。また、ＣＰＵ２１３には操作ボタンやＬＥＤ等のＩ／Ｏ装置２１４が接続されている。
【００１９】
また、画像処理部２０９には液晶ディスプレイのコントローラ（ＬＣＤＣ）２１０を介して液晶ディスプレイ（ＬＣＤ）２１２及び画像信号を記憶させる画像処理用ＲＡＭ２１１が接続されている。
【００２０】
さらに、音声処理部２０６、ボイススイッチ２０７は音量を制御するボリューム制御部２０５に接続され、このボリューム制御部２０５はステレオコーデック２０４と接続されている。
【００２１】
次に、このような構成のインターホンシステムにおける伝達特性データの測定について図２を用いて説明する。
【００２２】
伝達特性データの測定にはまず図２（ａ）に示すように撮像エリアをＮ分割する。図２（ａ）においては例として３分割した撮像エリア（Ｎ＝３：Ｚ１、Ｚ２、Ｚ３）の場合を示している。
【００２３】
分割した各撮像エリアに音像（音源）があることを想定し、図２（ｂ）に示すように左チャンネル（Ｌｃｈ）／右チャンネル（Ｒｃｈ）入力測定用の２つのマイクで伝達特性、即ちインパルス応答のｈＬ１、ｈＲ１、ｈＬ２、ｈＲ２、ｈＬ３、ｈＲ３のパターンをあらかじめ測定し、これらの測定データをＲＯＭ２１６に保存する。
【００２４】
このようにあらかじめ伝達特性データを測定、保存しておいて、モノラル入力からステレオ出力を行うようにする。
【００２５】
次に本発明のインターホンシステムのモノラル入力からステレオ出力に関する動作について図３を用いて説明する。
【００２６】
図３に示すように、玄関子機１のカメラ１０７で撮像された画像データはカメラモジュール１０４にて処理され、子機通信処理部１０６に送られ、伝送路により親機通信処理部２０８を経由して居室親機２の画像処理部２０９に送られる。
【００２７】
画像処理部２０９では何らかの動きのあるエリアを検出し、この動きのあるエリアには来訪者が存在するものと認識し、そのエリア番号を音像（音源）位置として音声処理部２０６に通知する。
【００２８】
エリア番号を得た音声処理部２０６は、玄関子機１の１つの子機マイク１０２からのモノラル信号に対して、あらかじめ保存されているエリア番号に対応した伝達特性（インパルス応答：ｈＬｎ、ｈＲｎ）をＲＯＭ２１６から読み出し、各々畳み込み演算を実施してＬｃｈ／Ｒｃｈに出力するステレオ信号を作成する。
【００２９】
作成されたステレオ信号は、ボリューム制御部２０５で適切な音量に制御され、ステレオコーデック２０４のＬ／Ｒ出力チャネルにそれぞれ設定されて親機Ｌチャンネル用スピーカ（Ｌ）２０１、親機Ｒチャンネル用スピーカ（Ｒ）２０２に出力される。
【００３０】
以上の説明から明らかなように、本発明によるインターホンシステムによれば、画像処理部で検出した音像位置に適応した伝達特性を音声処理部に入力されたモノラル信号に畳み込み演算することで、玄関子機において複数のマイクを使用しなくてもモノラル信号からステレオ信号を作成し出力信号に音像定位、臨場感、音質向上等の音響効果を付加することが可能となる。
【図面の簡単な説明】
【００３１】
【図１】本発明のインターホンシステムのブロック図の一例である。
【図２】本発明のインターホンシステムの伝達特性データの測定を説明する図である。
【図３】本発明のインターホンシステムの動作を説明する図である。
【符号の説明】
【００３２】
１        玄関子機
２        居室親機        
１０１    子機スピーカ
１０２    子機マイク    
１０３    呼出ボタン
１０７    カメラ
１０５    モノラルコーデック              
２０１    親機Ｌチャンネル用スピーカ
２０２    親機Ｒチャンネル用スピーカ
２０３    親機マイク
２０４    ステレオコーデック
２０６    音声処理部
２０９    画像処理部
２１３    ＣＰＵ
２１６    ＲＯＭ
【図１】
2009060321.tif 000003
【図２】
2009060321.tif 000004
【図３】
2009060321.tif 000005